(57)【要約】【課題】上肢障害者特に隻腕者及び片手だけしか使えない人が片手で安全かつ簡単な方法で容器を素早く把持固定して、片手で容器の蓋等を容易に開閉でき、また把持固定した容器も片手で簡単に開放・取り外しできる福祉用片手補助具を提供する。【解決手段】内面に雌ねじ構造を有する輪状回転子を介した回転送り機構の作動により、取り扱う容器の側面を把持固定あるいは開放・取り外しする一対の把持器材を備えたもので、輪状回転子の回転で把持器材の一方を動かし、容器の把持固定や開放・取り外しを容易にすることができる。【選択図】図１
2004099069.tif 000002
【特許請求の範囲】
【請求項１】
内面に雌ねじ構造を有する輪状回転子に、把持器材の棒状部に刻まれた凹凸条をかみ合わせた回転送り機構部、容器のサイズ（外径）に適合可能な曲線形状体と凹凸の弾性材を有する複合固定化構造で、回転送り機構に連動した一対の把持器材部、及び、テーブル等への固定機構部を備え、輪状回転子の回転で把持器材の一方を動かし、容器の把持固定や開放・取り外しができることを特徴とする福祉用片手補助具。
【請求項２】
右手用、左手用と使い分け可能な方向の回転送り構造を有する請求項１に記す福祉用片手補助具。
【請求項３】
テーブル等への固定機構部の下部中央付近に設けた雌ねじに、無回転波状板スプリングを上部に備えた雄ねじが連結され、雄ねじ下部のハンドルを回し固定するもので、固定機構部挿入時に無回転波状板スプリングで一時固定する機能を有する請求項１に記す福祉用片手補助具。
【請求項４】
把持器材部の容器把持器材面の形状が多角形状、または直線形状を有する請求項１に記す福祉用片手補助具。
【請求項５】
把持器材の上下昇降用支柱を設け、把持器材の高低スライド調整時にスプリング等により適正な位置に止るような機能を有する請求項１に記す福祉用片手補助具。
【発明の詳細な説明】
【０００１】
【発明の属する技術分野】
本発明は、上肢障害者特に隻腕者及び片手だけしか使えない人が、容易に容器の蓋等を開閉しうる福祉用補助具に関するものである。
【０００２】
【従来の技術】
飲み物などの入った容器の蓋を開けるには、容器を把持固定する手と蓋を開ける手がいるので、片手しか使えない障害者は容器に詰められたものを飲食に供するときなど、蓋が開けられないので介護者の手を借りて蓋を開けている。
【０００３】
【発明が解決しようとする課題】
飲み物などの入った容器の蓋を開けるには、容器を把持固定する手と蓋を開ける手がいるので、片手しか使えない障害者は容器に詰められたものを飲食に供するときなど、蓋が開けられないので介護者の手を借りる必要がある。一方、公開特許（特開２００１−２７８２８２）による容器固定具は、片手しか使えない障害者が容器固定を行うには、事前に把持器具を容器サイズに合わせてスライドさせ、容器を置いた後でひもやベルトで固定するなど、容器固定方法が複雑であり、大きさが異なる等いろいろな容器を、片手で把持固定と開放・取り外しを的確に行うには手間と時間がかかるし、また片手では満足のいく把持固定が十分できない等の問題点がある。
【０００４】
上記のことは、上肢障害者特に隻腕者及び片手だけしか使えない人の自立を阻害する一つの要因になっているので、片手で安全かつ簡単な方法で容器を素早く把持固定して、片手で容器の蓋等を容易に開閉でき、また把持固定した容器も片手で簡単に開放・取り外しできる福祉用片手補助具を提供するものである。
【０００５】
【課題を解決するための手段】
上記の課題を解決するために本発明による「福祉用片手補助具」が開発されたものである。本発明の福祉用片手補助具を使用する際には、先ず本体をテーブル等の天板に片手で取り付け固定する。さらに、飲食物などが詰められた容器の蓋を取り外して内容物を利用に供するには、本発明による福祉用片手補助具の輪状回転子を回し容器把持器材の一方を動かし、容器を把持固定した状態で蓋を取り、その後、輪状回転子を回し容器を開放・取り外して飲食等に供する。再び容器に蓋をする場合は、容器の蓋を取る手順と同様にして容器を把持固定し蓋をする。
【０００６】
本発明の特徴は、福祉用片手補助具の取り付けから容器の蓋の開閉まで全てのことが、片手で安全、簡単、容易に、かつ的確に素早く行える点である。
【０００７】
【実施例】
図１〜図５は、本発明の福祉用片手補助具を示したものである。
本発明の福祉用片手補助具をテーブル等の天板８に取り付けるには、事前に固定機構部４の雄ねじ下部の締め付け用ハンドル３を片手で回し、固定機構部４上部下面と無回転波状板スプリング９上面の間隔を天板８の厚さより少し（１〜３ミリメートル）狭く設定し、固定機構部４（コ字型取り付け部）をテーブル等の天板８にはめ込むように挿入し、無回転波状板スプリング９で圧着一時固定した後に、雄ねじ下部の締め付け用ハンドル３を片手で回して取り付け固定する。
【０００８】
また、無回転波状板スプリングによる圧着一時固定機能を有しないものとして、無回転波状板スプリングの代りに平板を使用することもある。福祉用片手補助具は一度取り付けると、取り付け場所を変更しない限りそのままの状態で使用する。
【０００９】
無回転波状板スプリング９圧着一時固定は、テーブル等への固定機構部４の下部材中央付近に設けた雌ねじに、無回転波状板スプリング９を上部に備えた雄ねじが連結され、固定機構部４をテーブル等の天板８にはめ込むように挿入すると、無回転波状板スプリング９圧力で軽く一時固定される構造となっており、後で雄ねじ下部のハンドル３を回し固定するのが容易である。この一時固定機能により隻腕者及び片手だけしか使えない人でも福祉用片手補助具を希望する所に容易に取り付け固定することができる。
【００１０】
片手の障害者がビン等の容器に詰められたものの蓋を取って利用に供する際には、容器のサイズ（外径）に適した把持器材２の把持位置（小さいサイズの容器は把持器材の曲線形状体の奥の小径用位置）を選定して、内面に雌ねじ構造を有する輪状回転子１を片手で回し、輪状回転子１の雌ねじに把持器材２の棒状部７に刻まれた凹凸条をかみ合わせた回転送り機構で把持器材２の一方を動かし、容器が入る大きさより大きめに把持器材２を広げ、容器を挿入して輪状回転子１を片手で回し把持固定した状態で蓋を取りはずし、再び片手で輪状回転子１を回し容器を開放し飲用等に供する。
【００１１】
把持器材２の曲線形状体は、適した把持位置を選定することにより、容器の側面と把持面の接点を大きくし把持力を高める効果がある。また、容器のサイズ（外径）に適した把持器材２の把持位置でなくても、容器の把持を可能にする機能を把持器材２の曲線形状体の曲線面と凹凸の弾性材６（ゴム等）の凹凸面が共有している。
また、把持器材部の容器把持器材面の形状が多角形状、または直線形状を有するものを用いることもある。
【００１２】
また、回転送り機構で輪状回転子の内面を螺旋溝構造とし把持器材の棒状部に刻まれた凹凸条のうち凸条にかみ合わせた回転送り機構部とすることや、輪状回転子の外面をねじ、または螺旋溝構造とし把持器材の棒状部に刻まれた凹凸条のうち凸条にかみ合わせた回転送り機構とすることもある。
容器に蓋をする際には、容器の蓋を取る手順と同様にして容器を把持固定し蓋をする。
【００１３】
容器のサイズ（高さ）に応じ適正な把持器材２の高低調整方法としては、把持器材上下昇降支柱５を、径（大きさ）の異なる二つの円柱の一方が中に入る構造で伸縮を構成し、図３に示すように円柱の一段目１０の内側に二段目１１の外側が入る程度（１００〜３００マイクロメートル）の内側と外側の差を設けて、二段目１１の内部から一段目１０の内側へ圧力が掛かるようにスプリング１２を仕込み、把持器材の高低スライド調整時に適正な位置に止るようにする方法と、
【００１４】
図４のように円柱の一段目１３の内側に二段目１４の外側が入る程度（１００〜３００マイクロメートル）の内側と外側の差を設け、二段目１４のたて方向（垂直）一列の一定間隔に設けたくぼみに、一段目１３の上部凸条スプリング１５が把持器材の高低スライド調整時に掛かる構造とし、高低スライド調整時に適正な位置に止るようにする。
【００１５】
また、角柱の場合も円柱と同様の方法を用いる。伸縮用円柱・角柱は多段階な複数構造とし、高低差を大きくすることもできる。
また、把持器材上下昇降支柱１６に刻まれた凹凸条に、把持器材上下昇降用ハンドル１７のシャフトに設けた歯車をかみ合せて、上下昇降用ハンドル１７を回し把持器材の高低スライド調整を行い適正な位置に止るようにする。
【００１６】
【発明の効果】
容器の蓋を開けるには、容器を把持する手と蓋を開ける手がいるので、片手しか使えない障害者はビン等の容器に詰められたものを用いるとき蓋が開けられないので介護者の手を借りている。一方、公開特許の容器固定具は、片手しか使えない障害者が容器固定を行うには、容器固定方法が複雑であり、大きさが異なる等いろいろな容器を、片手で把持固定と開放を的確に行うには時間がかかる、また片手で把持固定が十分できない等の問題点がある。
【００１７】
本発明の福祉用片手補助具は、片手で輪状回転子を回すことにより回転送り機構で安全、かつ簡単な方法で容器を素早く的確に把持固定し、片手で容器の蓋等を容易に開閉できる。また把持した容器も片手で簡単に開放できる。その他、公開特許の容器固定具に比べ、コンパクトでシンプルな故障しない構造となっている等、使用上優れている。
【００１８】
【図面の簡単な説明】
【図１】本発明の福祉用片手補助具の概観図である。
【図２】上記本発明の一部で固定機構部の断面概略図である。
【図３】上記本発明の一部で把持器材上下昇降支柱の断面概略ある。
【図４】上記本発明の一部で把持器材上下昇降支柱の断面概略ある。
【図５】本発明の把持器材上下昇降用ハンドル型福祉用片手補助具の概観
図である。
【符号の説明】
１　内面に雌ねじ構造を有する輪状回転子。
２　容器を把持する把持器材。
３　雄ねじ下部の締め付け用ハンドル。
４　テーブル等への固定機構部。
５　容器の高低調整用把持器材上下昇降支柱。
６　容器の把持固定を強固にする凹凸の弾性材。
７　把持器材の棒状部。
８　テーブル等の天板。
９　無回転波状板スプリング。
１０円柱の一段目。
１１円柱の二段目。
１２スプリング。
１３円柱の一段目。
１４円柱の二段目。
１５凸条スプリング。
１６把持器材上下昇降用支柱。
１７把持器材上下昇降用ハンドル。
【図１】
2004099069.tif 000003
【図２】
2004099069.tif 000004
【図３】
2004099069.tif 000005
【図４】
2004099069.tif 000006
【図５】
2004099069.tif 000007